(57)【要約】【課題】座椅子調整装置を提供する。【解決手段】座椅子調整装置であって、座面の下に調整装置を有し、調整装置は、可動フレームと支承座からなり、可動フレームは座面下端に螺固され、複数のスロットを有し、且つ、両側に弾性素子を受ける棒を枢設する。ねじにより、スロットから可動フレームを支承座上に枢固し、座面位置を調整したい時、棒を上に引けば、棒前端定位部が支承座開口槽の制限部から脱離し、この時、可動フレームと支承座は可動状で、スロット内を前後に移動でき、必要な位置に調整された時、棒を離すと、弾性素子の弾力により定位部が上向けで、開口槽の相対する制限部内に制限されて、座面位置を調整する。【選択図】図２
0003138017.tif 000002
【実用新案登録請求の範囲】
【請求項１】
座椅子調整装置であって、前記座椅子は、座面、背もたれ、脚からなり、前記座面の下に調整装置を有し、前記調整装置は、可動フレームと支承座からなり、
前記可動フレームは前記座面下端に螺固され、複数のスロットを有し、各スロット内にパッドを嵌合し、両側に固定座を有し、各固定座間は、弾性素子の頂推を受ける棒を枢設し、前記棒前端は定位部を設置し、
前記支承座は上端に複数の螺孔を有し、両側に複数の制限部を有する開口槽を有し、螺栓により、前記支承座を底座に枢固し、
上述のような素子により、前記可動フレームをねじにより前記スロットから支承座上に枢固する時、前記棒の定位部も前記支承座の開口槽内に穿入し、前記棒が弾性素子の頂推を受けて前記定位部を上に押し、前記開口槽の制限部内に制限され、前記座面の位置を調整したい時、前記棒を上に引き、前記棒の前端定位部を前記支承座の開口槽の制限部から脱離させ、この時、前記可動フレームと前記支承座は可動状で、前記スロット内で前後に移動し、前記座面は可動フレーム上に螺固され前後に移動するので、必要な位置に調整される時、前記棒を放せば、前記弾性素子の弾力が前記定位部を上に前記支承座の開口槽の相対する制限部内で制限し、これにより、この構造は座面を使用者の要求に応じて位置を調整することができることを特徴とする座椅子調整装置。
【考案の詳細な説明】
【技術分野】
【０００１】
本考案は座椅子調整装置に関するものであって、特に、調整装置が可動フレームと支承座からなる座椅子調整装置に関するものである。
【背景技術】
【０００２】
生活において、仕事でも、休息でも、椅子が必要である。一般の椅子は異なる使用場所と使用者に合わせるためと、快適感を提供するため、生産過程中に、座面、背もたれ、脚、等の座椅子パーツを人体工学に符合するように設置するが、一般の座椅子は生産時に、背もたれと座面が固定されて調整不可能であり、使用者の要求に応じて調整できず、長時間座ると、快適さが保たれない。
【考案の開示】
【考案が解決しようとする課題】
【０００３】
本考案は、上述の問題を改善する座椅子調整装置を提供することを目的とする。
【課題を解決するための手段】
【０００４】
調整装置は可動フレームと支承座とからなり、可動フレームは座面下端に螺固され、複数のスロットを有し、且つ、両側に弾性素子の頂推を受ける棒を枢設する。ねじにより、スロットから可動フレームを支承座上に枢固し、座面位置を調整したい時、棒を上に引けば、棒前端定位部が支承座開口槽の制限部から脱離し、この時、可動フレームと支承座は可動状で、スロット内を前後に移動でき、必要な位置に調整された時、棒を離すと、弾性素子の弾力により定位部が上向けで、開口槽の相対する制限部内に制限されて、座面位置を調整する。
【考案の効果】
【０００５】
本考案により、快適な座椅子構造が提供される。
【考案を実施するための最良の形態】
【０００６】
図１、図２で示されるように、椅子１は座面１０、背もたれ１１、及び、脚１２からなり、特に、座面１０は調整装置１００を有し、調整装置１００は可動フレーム２０と支承座３０からなる。
【０００７】
可動フレーム２０は座面１０下端に螺固され、且つ、複数のスロット２１を有し、スロット２１内にパッド２２を嵌合し、両側下端に固定座２３を有し、固定座２３間は弾性素子２４の弾力を受ける棒２５を有し、棒２５の前端は定位部２６を有する。
【０００８】
支承座３０は上端に複数の螺孔３１を有し、両側に複数の制限部３３を有する開口槽３４を設置し、螺栓３２により支承座３０を底座４０両側上に枢固する。
【０００９】
上述のように、可動フレーム２０がねじ２７によりスロット２１を経て支承座３０の螺孔３１に枢固される時、棒２５の定位部２６が支承座３０の開口槽３４内に穿入し、棒２５が弾性素子２４の頂推を受けて、定位部２６を上に押し、開口槽３４の制限部３３内に制限され、座面１０の位置を調整したい時、棒２５を上に引き、棒２５の前端定位部２６を支承座３０の開口槽３４の制限部３３から脱離させ、この時、可動フレーム２０と支承座３０は可動状で、スロット２１内で前後に移動し（図３）、座面１０は可動フレーム２０上に螺固され前後に移動するので、必要な位置に調整される時、棒２５を放せば、弾性素子２４の弾力が定位部２６を上に支承座３０開口槽３４の相対する制限部３３内で制限し、これにより、この構造は座面１０を使用者の要求に応じて位置を調整することができる（図４）。
【００１０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案登録請求の範囲で指定した内容を基準とする。
【図面の簡単な説明】
【００１１】
【図１】本考案の座椅子を示す図である。
【図２】本考案の立体分解図である。
【図３】本考案の立体動作図である。
【図４】本考案の動作図である。
【符号の説明】
【００１２】
１    座椅子
１０  座面
１１  背もたれ
１２  脚
２０  可動フレーム
２１  スロット
２２  パッド
２３  固定座
２４  弾性素子
２５  棒
２６  定位部
２７  ねじ
３０  支承座
３１  螺孔
３２  螺栓
３３  制限部
３４  開口槽
４０  底座
１００  調整装置
【図１】
0003138017.tif 000003
【図２】
0003138017.tif 000004
【図３】
0003138017.tif 000005
【図４】
0003138017.tif 000006
【手続補正書】
【提出日】平成19年10月17日(2007.10.17)
【手続補正１】
【補正対象書類名】実用新案登録請求の範囲
【補正対象項目名】請求項１
【補正方法】変更
【補正の内容】
【請求項１】
椅子調整装置であって、前記椅子は、座面、背もたれ、及び脚からなり、前記座面の下に調整装置を有し、前記調整装置は、可動フレームと支承座からなり、
前記可動フレームは前記座面下端に螺固され、複数のスロットを有し、各スロット内にパッドを嵌合し、両側に固定座を有し、各固定座間は、弾性素子の弾力を受ける棒を枢設し、前記棒前端は定位部を設置し、
前記支承座は上端に複数の螺孔を有し、両側に複数の制限部を有する開口槽を有し、螺栓により、前記支承座を底座に枢固し、
前記可動フレームをねじにより前記スロットから支承座上に枢固する時、前記棒の定位部も前記支承座の開口槽内に穿入し、前記棒が弾性素子の弾力を受けて前記定位部を上に押し、前記開口槽の制限部内に制限され、前記座面の位置を調整したい時、前記棒を上に引き、前記棒の前端定位部を前記支承座の開口槽の制限部から脱離させ、この時、前記可動フレームと前記支承座は可動状で、前記スロット内で前後に移動し、前記座面は可動フレーム上に螺固され前後に移動するので、必要な位置に調整される時、前記棒を放せば、前記弾性素子の弾力が前記定位部を上に前記支承座の開口槽の相対する制限部内で制限し、これにより、この構造は座面を使用者の要求に応じて位置を調整することができることを特徴とする椅子調整装置。
【手続補正３】
【補正対象書類名】明細書
【補正対象項目名】０００１
【補正方法】変更
【補正の内容】
【０００１】
本考案は椅子調整装置に関するものであって、特に、調整装置が可動フレームと支承座からなる椅子調整装置に関するものである。
【手続補正４】
【補正対象書類名】明細書
【補正対象項目名】０００２
【補正方法】変更
【補正の内容】
【０００２】
生活において、仕事でも、休息でも、椅子が必要である。一般の椅子は異なる使用場所と使用者に合わせるためと、快適感を提供するため、生産過程中に、座面、背もたれ、脚、等の椅子パーツを人体工学に符合するように設置するが、一般の椅子は生産時に、背もたれと座面が固定されて調整不可能であり、使用者の要求に応じて調整できず、長時間座ると、快適さが保たれない。
【手続補正５】
【補正対象書類名】明細書
【補正対象項目名】０００３
【補正方法】変更
【補正の内容】
【０００３】
本考案は、上述の問題を改善する椅子調整装置を提供することを目的とする。
【手続補正６】
【補正対象書類名】明細書
【補正対象項目名】０００４
【補正方法】変更
【補正の内容】
【０００４】
調整装置は可動フレームと支承座とからなり、可動フレームは座面下端に螺固され、複数のスロットを有し、且つ、両側に弾性素子の弾力を受ける棒を枢設する。ねじにより、スロットから可動フレームを支承座上に枢固し、座面位置を調整したい時、棒を上に引けば、棒前端定位部が支承座開口槽の制限部から脱離し、この時、可動フレームと支承座は可動状で、スロット内を前後に移動でき、必要な位置に調整された時、棒を離すと、弾性素子の弾力により定位部が上向けで、開口槽の相対する制限部内に制限されて、座面位置を調整する。
【手続補正７】
【補正対象書類名】明細書
【補正対象項目名】０００５
【補正方法】変更
【補正の内容】
【０００５】
本考案により、快適な椅子構造が提供される。
【手続補正８】
【補正対象書類名】明細書
【補正対象項目名】０００９
【補正方法】変更
【補正の内容】
【０００９】
上述のように、可動フレーム２０がねじ２７によりスロット２１を経て支承座３０の螺孔３１に枢固される時、棒２５の定位部２６が支承座３０の開口槽３４内に穿入し、棒２５が弾性素子２４の弾力を受けて、定位部２６を上に押し、開口槽３４の制限部３３内に制限され、座面１０の位置を調整したい時、棒２５を上に引き、棒２５の前端定位部２６を支承座３０の開口槽３４の制限部３３から脱離させ、この時、可動フレーム２０と支承座３０は可動状で、スロット２１内で前後に移動し（図３）、座面１０は可動フレーム２０上に螺固され前後に移動するので、必要な位置に調整される時、棒２５を放せば、弾性素子２４の弾力が定位部２６を上に支承座３０開口槽３４の相対する制限部３３内で制限し、これにより、この構造は座面１０を使用者の要求に応じて位置を調整することができる（図４）。
【手続補正９】
【補正対象書類名】明細書
【補正対象項目名】００１１
【補正方法】変更
【補正の内容】
【００１１】
【図１】本考案の椅子を示す図である。
【図２】本考案の立体分解図である。
【図３】本考案の立体動作図である。
【図４】本考案の動作図である。
【手続補正１０】
【補正対象書類名】明細書
【補正対象項目名】００１２
【補正方法】変更
【補正の内容】
【００１２】
１    椅子
１０  座面
１１  背もたれ
１２  脚
２０  可動フレーム
２１  スロット
２２  パッド
２３  固定座
２４  弾性素子
２５  棒
２６  定位部
２７  ねじ
３０  支承座
３１  螺孔
３２  螺栓
３３  制限部
３４  開口槽
４０  底座
１００  調整装置